(57)【要約】【課題】血液ポートとハウジングのシール部の超音波溶着が不完全な場合でも、血液ポートがハウジングから外れることがない血液処理装置を提供すること。【解決手段】ハウジング２は、末（基）端ＤＥ側に超音波溶着部２ＵＷと離脱阻止部（２ＫＴ、２ＫＴＰ）とを有する。血液ポート入口５．１（出口５．２）は、末（基）端側に離脱阻止部突起（５ＫＴ、５ＫＴＰ）と超音波溶着部５ＵＷとを有する。超音波溶着時に、ハウジング２の超音波溶着部２ＵＷと、血液ポート入口５．１（出口５．２）の超音波溶着部５ＵＷが溶着する。超音波溶着が外れた時は、ハウジング２の離脱阻止部突起（２ＫＴ、２ＫＴＰ）と、血液ポート入口５．１（出口５．２）の離脱阻止部突起（５ＫＴ、５ＫＴＰ）とが係止する。【選択図】図９
2014064829.tif 000002
【特許請求の範囲】
【請求項１】
ハウジング（２）の内部に、当該ハウジング（２）の長手Ｌ方向に沿って中空糸膜（４）を配置し、
当該中空糸膜（４）の末端ＤＥ側と基端ＰＥ側を、それぞれ固定材（３）により前記ハウジング（２）の末端ＤＥ側と基端ＰＥ側内面に固定し、
前記ハウジング（２）の末端ＤＥ側で、かつ第１側部Ｓ１方向に、透析液ポート入口（７.１）を装着し、
前記ハウジング（２）の基端ＰＥ側で、かつ第１側部Ｓ１方向に、透析液ポート出口（７.２）を装着し、
前記ハウジング（２）の末端ＤＥ側に、血液ポート出口（５．２）を装着し、
前記ハウジング（２）の基端ＰＥ側に、血液ポート入口（５．１）を装着し、
前記ハウジング（２）は、末端ＤＥ側及び／又は基端ＰＥ側に超音波溶着部（２ＵＷ）と離脱阻止部（２ＫＴ、２ＫＴＰ）とを有し、
前記ハウジング（２）の末端ＤＥ側の離脱阻止部突起（２ＫＴ、２ＫＴＰ）は、末端ＤＥ側に超音波溶着部（２ＵＷ）を形成し、
前記ハウジング（２）の基端ＰＥ側の離脱阻止部突起（２ＫＴ、２ＫＴＰ）は、基端ＰＥ側に超音波溶着部（２ＵＷ）を形成し、
前記血液ポート出口（５．２）は、基端ＰＥ側に、離脱阻止部突起（５ＫＴ、５ＫＴＰ）と超音波溶着部（５ＵＷ）とを有し、
基端ＰＥ側に離脱阻止部突起（５ＫＴ、５ＫＴＰ）を形成し、当該離脱阻止部突起（５ＫＴ、５ＫＴＰ）の末端ＤＥ側に超音波溶着部（５ＵＷ）を形成し、
前記血液ポート入口（５．１）は、末端ＤＥ側に、離脱阻止部突起（５ＫＴ、５ＫＴＰ）と超音波溶着部（５ＵＷ）とを有し、
末端ＤＥ側に離脱阻止部突起（５ＫＴ、５ＫＴＰ）を形成し、当該離脱阻止部突起（５ＫＴ、５ＫＴＰ）の基端ＰＥ側に超音波溶着部（５ＵＷ）を形成し、
前記ハウジング（２）と血液ポート（５、５．１、５．２）は、
超音波溶着時に、前記ハウジング（２）の超音波溶着部（２ＵＷ）と、
前記血液ポート（５、５．１、５．２）の超音波溶着部（５ＵＷ）が溶着し、
前記超音波溶着が外れた時は、前記ハウジング（２）の離脱阻止部突起（２ＫＴ、２ＫＴＰ）と、前記血液ポート（５、５．１、５．２）の離脱阻止部突起（５ＫＴ、５ＫＴＰ）とが係止できるように形成したことを特徴とする血液処理装置（１）。
【請求項２】
前記ハウジング（２）の離脱阻止部突起（２ＫＴ）は、側部Ｓ方向に連続して形成し、
前記血液ポート（５、５．１、５．２）の離脱阻止部突起（５ＫＴ）は、側部Ｓ方向に断続的に複数箇所形成した、ことを特徴とする請求項１に記載の血液処理装置（１）。
【請求項３】
前記血液ポート出口（５．２）の離脱阻止部突起（５ＫＴ）は、末端ＤＥ側に離脱阻止部溝（５ＫＭ）を形成し、
前記血液ポート入口（５．１）の離脱阻止部突起（５ＫＴ）は、基端ＰＥ側に離脱阻止部溝（５ＫＭ）を形成し、
前記ハウジング（２）の離脱阻止部突起（２ＫＴ）が、超音波溶着時に、離脱阻止部溝（５ＫＭ）に侵入できるように形成した、ことを特徴とする請求項１または請求項２に記載の血液処理装置（１）。
【請求項４】
前記ハウジング（２）の離脱阻止部突起（２ＫＴＰ）は、側部Ｓ方向に断続的に複数箇所形成し、
前記血液ポート（５、５．１、５．２）の離脱阻止部突起（５ＫＴＰ）は、側部Ｓ方向に連続して形成した、ことを特徴とする請求項１に記載の血液処理装置（１）。
【請求項５】
前記血液ポート出口（５．２）の離脱阻止部突起（５ＫＴＰ）は、末端ＤＥ側に離脱阻止部溝（５ＫＭＰ）を側部Ｓ方向に断続的に複数箇所形成し、
前記血液ポート入口（５．１）の離脱阻止部突起（５ＫＴＰ）は、基端ＰＥ側に離脱阻止部溝（５ＫＭＰ）を側部Ｓ方向に断続的に複数箇所形成し、
前記ハウジング（２）の離脱阻止部突起（２ＫＴＰ）が、超音波溶着時に、離脱阻止部溝（５ＫＭＰ）に侵入できるように形成した、ことを特徴とする請求項１または請求項４に記載の血液処理装置（１）。
【発明の詳細な説明】
【技術分野】
【０００１】
本発明は、血液透析、血液ろ過、血液透析ろ過等、血漿分離用に用いる血液処理装置である。本発明は、血液ポートとハウジングの嵌合構造の改良に関するものであり、
血液ポートとハウジングの超音波溶着が外れても、血液ポートがハウジングから離脱しないようにした構造に関するものである。
【背景技術】
【０００２】
血液処理装置の製造（組立）工程において、ハウジング両端への血液ポートの取り付け方法として、ハウジングにシール部（超音波溶着部）を介して血液ポートを超音波溶着し、液密に接合する方法が採用されている。
しかしながらこれらの製造（組立）工程では、稀であるが超音波溶着が不完全な場合があり、接合強度の低下が発生する。
不幸にして血液キャップがハウジングから外れた場合、血液の大量リークを招来する。
そこで特許文献１には、血液ポートとハウジングの接合強度の低下を回避するために、血液ポートを確実にハウジングに取り付ける為の接合強度の補強方法及び接合強度が補強された発明が開示されている。
特許文献１に記載の発明は、ハウジングのサイド（側部）から血液ポートを超音波溶着することにより、接合強度を補強した発明である。
【先行技術文献】
【特許文献】
【０００３】
【特許文献１】特開２００１−２６９５４５号公報（要約の欄、図１〜図２）
【発明の概要】
【発明が解決しようとする課題】
【０００４】
超音波溶着が不完全な場合、接合強度の低下が発生し、不幸にして血液キャップがハウジングから外れた場合は血液の大量リークを招来する。
超音波溶着が不完全な場合、接合強度を補強するには、特許文献１に記載の発明のように、この場合は、生産工程、生産設備の追加（超音波溶着の変更）等が必要となる。
【課題を解決するための手段】
【０００５】
そこで本発明者らは、以上の課題を解決するために鋭意検討を重ねた結果、以下の血液処理装置の発明に到達した。
【０００６】
［１］本発明は、ハウジング（２）の内部に、当該ハウジング（２）の長手Ｌ方向に沿って中空糸膜（４）を配置し、
当該中空糸膜（４）の末端ＤＥ側と基端ＰＥ側を、それぞれ固定材（３）により前記ハウジング（２）の末端ＤＥ側と基端ＰＥ側内面に固定し、
前記ハウジング（２）の末端ＤＥ側で、かつ第１側部Ｓ１方向に、透析液ポート入口（７.１）を装着し、
前記ハウジング（２）の基端ＰＥ側で、かつ第１側部Ｓ１方向に、透析液ポート出口（７.２）を装着し、
前記ハウジング（２）の末端ＤＥ側に、血液ポート出口（５．２）を装着し、
前記ハウジング（２）の基端ＰＥ側に、血液ポート入口（５．１）を装着し、
前記ハウジング（２）は、末端ＤＥ側及び／又は基端ＰＥ側に超音波溶着部（２ＵＷ）と離脱阻止部（２ＫＴ、２ＫＴＰ）とを有し、
前記ハウジング（２）の末端ＤＥ側の離脱阻止部突起（２ＫＴ、２ＫＴＰ）は、末端ＤＥ側に超音波溶着部（２ＵＷ）を形成し、
前記ハウジング（２）の基端ＰＥ側の離脱阻止部突起（２ＫＴ、２ＫＴＰ）は、基端ＰＥ側に超音波溶着部（２ＵＷ）を形成し、
前記血液ポート出口（５．２）は、基端ＰＥ側に、離脱阻止部突起（５ＫＴ、５ＫＴＰ）と超音波溶着部（５ＵＷ）とを有し、
基端ＰＥ側に離脱阻止部突起（５ＫＴ、５ＫＴＰ）を形成し、当該離脱阻止部突起（５ＫＴ、５ＫＴＰ）の末端ＤＥ側に超音波溶着部（５ＵＷ）を形成し、
前記血液ポート入口（５．１）は、末端ＤＥ側に、離脱阻止部突起（５ＫＴ、５ＫＴＰ）と超音波溶着部（５ＵＷ）とを有し、
末端ＤＥ側に離脱阻止部突起（５ＫＴ、５ＫＴＰ）を形成し、当該離脱阻止部突起（５ＫＴ、５ＫＴＰ）の基端ＰＥ側に超音波溶着部（５ＵＷ）を形成し、
前記ハウジング（２）と血液ポート（５、５．１、５．２）は、
超音波溶着時に、前記ハウジング（２）の超音波溶着部（２ＵＷ）と、
前記血液ポート（５、５．１、５．２）の超音波溶着部（５ＵＷ）が溶着し、
前記超音波溶着が外れた時は、前記ハウジング（２）の離脱阻止部突起（２ＫＴ、２ＫＴＰ）と、前記血液ポート（５、５．１、５．２）の離脱阻止部突起（５ＫＴ、５ＫＴＰ）とが係止できるように形成した血液処理装置（１）を提供する。
【０００７】
[２]本発明は、前記ハウジング（２）の離脱阻止部突起（２ＫＴ）は、側部Ｓ方向に連続して形成し、
前記血液ポート（５、５．１、５．２）の離脱阻止部突起（５ＫＴ）は、側部Ｓ方向に断続的に複数箇所形成した[１]に記載の血液処理装置（１）を提供する。
[３]本発明は、前記血液ポート出口（５．２）の離脱阻止部突起（５ＫＴ）は、末端ＤＥ側に離脱阻止部溝（５ＫＭ）を形成し、
前記血液ポート入口（５．１）の離脱阻止部突起（５ＫＴ）は、基端ＰＥ側に離脱阻止部溝（５ＫＭ）を形成し、
前記ハウジング（２）の離脱阻止部突起（２ＫＴ）が、超音波溶着時に、離脱阻止部溝（５ＫＭ）に侵入できるように形成した[１]または[２]に記載の血液処理装置（１）を提供する。
【０００８】
[４]本発明は、前記ハウジング（２）の離脱阻止部突起（２ＫＴＰ）は、側部Ｓ方向に断続的に複数箇所形成し、
前記血液ポート（５、５．１、５．２）の離脱阻止部突起（５ＫＴＰ）は、側部Ｓ方向に連続して形成した[１]血液処理装置（１）を提供する。
[５]本発明は、前記血液ポート出口（５．２）の離脱阻止部突起（５ＫＴＰ）は、末端ＤＥ側に離脱阻止部溝（５ＫＭＰ）を側部Ｓ方向に断続的に複数箇所形成し、
前記血液ポート入口（５．１）の離脱阻止部突起（５ＫＴＰ）は、基端ＰＥ側に離脱阻止部溝（５ＫＭＰ）を側部Ｓ方向に断続的に複数箇所形成し、
前記ハウジング（２）の離脱阻止部突起（２ＫＴＰ）が、超音波溶着時に、離脱阻止部溝（５ＫＭＰ）に侵入できるように形成した[１]または[４]に記載の血液処理装置（１）を提供する。
【発明の効果】
【０００９】
本発明の血液処理装置は、
（１）血液ポートとハウジングのシール部（超音波溶着部）の超音波溶着が不完全な場合でも、血液ポートがハウジングから外れることがない。
（２）特許文献１に記載の発明のように、生産工程、生産設備の追加は不要である。
【図面の簡単な説明】
【００１０】
【図１】本発明の血液処理装置の全体側面図である。
【図２】本発明の血液処理装置の長手Ｌ方向の断面図である。
【図３】図２のハウジング２の末端ＤＥ側の一部拡大図である。
【図４】図１を末端ＤＥ側からみた側面図である。
【図５】血液ポート５．２を基端ＰＥ側から見た全体図である。
【図６】血液ポート５．１の側部Ｓ方向のＡ−Ａ断面図である。
【図７】ハウジングの末端ＤＥ側と血液ポート５．２基端ＰＥ側の嵌合位置（超音波溶着前）の一部拡大図である。
【図８】ハウジングの末端ＤＥ側と血液ポート５．２基端ＰＥ側の超音波溶着時の一部拡大図である。
【図９】図８から超音波溶着が外れた時の一部拡大図である。
【図１０】図７の一部拡大図である。
【図１１】（その他の実施例）図１を末端ＤＥ側からみた側面図である。
【図１２】（その他の実施例）血液ポート５．２を基端ＰＥ側から見た全体図である。
【図１３】（その他の実施例）血液ポート５．１の側部Ｓ方向のＡ−Ａ断面図である。
【図１４】（その他の実施例）ハウジングの末端ＤＥ側と血液ポート５．２基端ＰＥ側の嵌合位置（超音波溶着前）の一部拡大図である。
【図１５】（その他の実施例）ハウジングの末端ＤＥ側と血液ポート５．２基端ＰＥ側の超音波溶着時の一部拡大図である。
【図１６】（その他の実施例）図１５から超音波溶着が外れた時の一部拡大図である。
【発明を実施するための形態】
【００１１】
以下、図面を参照しながら本発明を詳細に説明する。
以下、本発明を明確に説明するため、次の定義をおく。
（定義１）本発明で、「基端ＰＥ（側または方向）」とは、図１、図２に示すように、血液ポート入口５．１側の端部を意味する。
（定義２）「末端ＤＥ（側または方向）」とは、図１、図２に示すように、「基端ＰＥ（側または方向）」と反対側の端部を意味する。さらにいえば、血液ポート出口５．２側の端部を意味する。
（定義３）「中心軸線ないし中心ＣＬ（側または方向）」とは、図１、図２に示すように、ハウジング２の長手Ｌ方向の中心（図の破線参照）を意味する。
【００１２】
（定義４）「長手Ｌ（側または方向）」とは、図１、図２に示すように、ハウジング２の長い方向を意味する。
「側部Ｓ（側または方向）」とは、図１に示すように、長手Ｌ方向と略垂直に交わる方向を意味する。
（定義５）「第１側部Ｓ１（側または方向）」とは、図１、図２に示すように、透析液ポート入口７．１側の端部を意味する。図４を参考にして、時計の針の位置で言えば
９時方向を意味する。
（定義６）「第２側部Ｓ２（側または方向）」とは、図１、図２に示すように、透析液ポート入口７．１側の端部と反対側の端部を意味する。図４を参考にして、時計の針の位置で言えば３時方向を意味する。
（定義７）「第３側部Ｓ３（側または方向）」とは、図４に示すように、第１側部Ｓ１（側または方向）」と「第２側部Ｓ２（側または方向）」との間の（上部Ｕ側の）位置を意味する。図４を参考にして、時計の針の位置で言えば１２時方向を意味する。
【００１３】
（定義８）「第４側部Ｓ４（側または方向）」とは、図４に示すように、第１側部Ｓ１（側または方向）」と「第２側部Ｓ２（側または方向）」との間の（下部Ｄ側の）位置を意味する。図４を参考にして、時計の針の位置で言えば６時方向を意味する。
（各部の名称の位置・配置等の方向性を示す符号の記載について）
本発明の図面及び発明の説明の中で、
ハウジング２等の符号で、「小径部」は、「２．１」のように「○．１」、「大径部」は、「２．２」のように「○．２」の符号をつけている。
例えば「２ＵＷ」は、ハウジング２の超音波溶着部ＵＷを意味する。
血液ポート等の符号で、血液ポート「入口」は、「５．１」のように、「○．１」、
血液ポート「出口」は、「５．２」のように、「○．２」の符号をつけている。
例えば、「５ＵＷ」は、血液ポート５の超音波溶着部ＵＷを意味する。
血液ポート出口５．２等の符号で、「小径部」は、「５．２１」のように、「○．○１」、「大径部」は、「５．２２」のように、「○．○２」の符号を付けている。
単に「血液ポート５」と記載する場合は、「血液ポート入口５．１」と「血液ポート出口５．２」の両方を含む。
なお位置・配置等の方向性を示す符号は、発明の理解ができ、必要と認められる範囲内で、図面及び発明の説明の中で一部のみについて記載した。
【００１４】
［血液処理装置］          
本発明の血液処理装置１は、ハウジング２の内部に、ハウジング２の長手Ｌ方向に沿って中空糸膜４（図２参照）を配置している。中空糸膜４の基端ＰＥ側と、末端ＤＥ側とを、固定材３（図２参照）によりハウジング２内に固定している。
ハウジング２の末端ＤＥ側で、第１側部Ｓ１方向に、透析液ポート入口７.１を装着し、ハウジング２の基端ＰＥ側で、第１側部Ｓ１方向に、透析液ポート出口７.２を装着している。
ハウジング２の基端ＰＥ側に、血液ポート入口５．１を装着し、ハウジング２の末端ＤＥ側に血液ポート出口５．２を装着している。
【００１５】
ハウジング２の長手Ｌ方向に見て、透析液ポート入口７.１を形成した位置に、末端ＤＥ側に障害部材１１（末端ＤＥ側障害部材１１）を設けている。
同様に、透析液ポート出口７.２を形成した位置、基端ＰＥ側にも障害部材１１（基端ＰＥ側障害部材１１を設けている。
【００１６】
障害部材１１は、図２、図４に例示するようにいわゆる「略円筒状」を有している。
障害部材１１は、図２、図４に例示するように基端ＰＥ側外周壁を、ハウジング２内周壁に固定している。
【００１７】
さらに詳述すれば、ハウジング２は、末端ＤＥ側は、図１、図２、図３に示すように、末端ＤＥ側に向けて、小径部２．１、移行部２．３を介して、大径部２．２を有する。
大径部２．２の第１側部Ｓ１に透析液ポート入口７．１を装着している。
また基端ＰＥ側は、基端ＰＥ側に向けて小径部２．１、移行部２．３を介して、大径部２．２を有する。大径部２．２の第１側部Ｓ１に透析液ポート出口７．２を装着している。
障害部材１１は、移行部２．３から大径部２．２の途中にいたるまで形成している。
【００１８】
本発明の血液処理装置１の特徴は、図４〜図９に例示するように、ハウジング２の大径部２．２の両端部（末端ＤＥ側と基端部ＰＥ側）に、超音波溶着部２ＵＷと離脱阻止部突起２ＫＴを形成し、血液ポート５（血液ポート入口５．１と血液ポート出口５．２）の大径部５．２２に、超音波溶着部５ＵＷと、離脱阻止部溝５ＫＭ及び離脱阻止部突起５ＫＴを形成した点である。
ハウジング２の超音波溶着部２ＵＷと離脱阻止部突起２ＫＴは、血液ポート入口５．１と血液ポート出口５．２のどちらか一方のみに形成してもよい。
【００１９】
（ハウジング２）
以下、説明の便宜上、末端ＤＥ側のハウジング２について詳述する。
基端ＰＥ側のハウジング２についても「末端ＤＥ側」とあるのを『基端ＰＥ側』、
「基端ＰＥ側」とあるのを『末端ＤＥ側』とそれぞれ位置を代えて読み替えれば、同様の機能を有することは、当業者であれば自明である。
ハウジング２は、図１、図２、図３、図７〜図９に例示するように、末端ＤＥ側に、大径部２．２を有する。
大径部２．２は、超音波溶着部２ＵＷと離脱阻止部２ＫＴを形成している。
図７〜図９の例示では、大径部２．２は、末端ＤＥ側に、離脱阻止部突起２ＫＴを形成し、離脱阻止部突起２ＫＴのさらに末端ＤＥ側に、超音波溶着部２ＵＷを形成している。
さらにいえば、ハウジング２は、末端ＤＥ側及び／又は基端ＰＥ側（両側、または
どちらか一方）に超音波溶着部２ＵＷと離脱阻止部２ＫＴとを有する。
ハウジング２の末端ＤＥ側の離脱阻止部突起２ＫＴは、末端ＤＥ側に超音波溶着部２ＵＷを形成し、ハウジング２の基端ＰＥ側の離脱阻止部突起２ＫＴは、基端ＰＥ側に超音波溶着部２ＵＷを形成している。
【００２０】
図４の例示では、離脱阻止部突起２ＫＴは、大径部２．２の外周［側部方向（第１側部Ｓ１〜第４側部Ｓ４）］に連続して形成している。さらにいえば環状に側部Ｓ方向に突設している。
離脱阻止部突起２ＫＴは、長手Ｌ方向の縦断面は、図７〜図９に例示するように、
いわゆる「凸状」（「略鍵爪状」または「略楔状」）に形成している。
さらにいえば、末端ＤＥ側は、末端ＤＥ方向に向けて先細りテーパー状に形成している。（テーパー部分ＴＰを有する。）
超音波溶着部２ＵＷは、テーパー部分ＴＰ（傾斜部ともいう）である。
【００２１】
また離脱阻止部突起２ＫＴは、図１１に例示するように、不連続に断続して、部分的に形成することができる。（以下、符号は「２ＫＴＰ」と記載する。）
離脱阻止部突起２ＫＴＰを採用する場合は、図１３に例示するように、血液ポート（５、５．１、５．２）の対抗する位置に溝（離脱阻止部溝５ＫＭＰ）を形成する。
離脱阻止部突起２ＫＴＰは、側部Ｓ（第１側部Ｓ１〜第４側部Ｓ４）］に断続的に複数箇所形成する。
図１１に例示するように、第１側部Ｓ１、第２側部Ｓ２、第３側部Ｓ３、第４側部
Ｓ４の各方向に４箇所形成することができる。
離脱阻止部突起２ＫＴＰは、図１１に例示するように、第１側部Ｓ１、第２側部Ｓ
２、第３側部Ｓ３、第４側部Ｓ４の各方向に４箇所形成してもよいし、例示した以外
に、側部Ｓ（第１側部Ｓ１〜第４側部Ｓ４）］に断続的に二箇所以上、好ましくは、
三箇所以上（五〜八箇所）形成することができる。
【００２２】
（血液ポート）
以下、説明の便宜上、血液ポート出口５．２について詳述する。
血液ポート入口５．１についても、「末端ＤＥ側」とあるのを『基端ＰＥ側』、
「基端ＰＥ側」とあるのを『末端ＤＥ側』とそれぞれ位置を代えて読み替えれば、同様の機能を有することは、当業者であれば自明である。
図７に例示するように、血液ポート出口５．２は、末端ＤＥ側から基端部ＰＥ側に向けて、小径部５．２１、移行部５．２３、大径部５．２２を形成している。
小径部５．２１は、外周（側部Ｓ方向）に接続部５．２１Ｓを形成し、基端部ＰＥ側内部から末端ＤＥ側に、開口部５．２１Ｏを形成している。
【００２３】
（大径部５．２２）
大径部５．２２は、Ｏリング装着溝５ＯＭ、超音波溶着部５ＵＷ、離脱阻止部溝５ＫＭ、離脱阻止部突起５ＫＴを有する。
Ｏリング装着溝５ＯＭは、中心ＣＬ側に形成している。
離脱阻止部突起５ＫＴは、基端部ＰＥ側に形成している。
離脱阻止部溝５ＫＭは、離脱阻止部突起５ＫＴの末端ＤＥ側に形成している。
超音波溶着部５ＵＷは、離脱阻止部溝５ＫＭの末端ＤＥ側に形成している。
さらに換言すれば、基端部ＰＥ側から末端ＤＥ側に向けて、離脱阻止部突起５ＫＴ、離脱阻止部溝５ＫＭ、超音波溶着部５ＵＷを形成している。
さらにいえば、血液ポート出口５．２は、基端ＰＥ側に、離脱阻止部突起５ＫＴと超音波溶着部５ＵＷとを有し、基端ＰＥ側に離脱阻止部突起５ＫＴを形成し、当該離脱阻止部突起５ＫＴの末端ＤＥ側に超音波溶着部５ＵＷを形成している。
血液ポート入口５．１は、末端ＤＥ側に、離脱阻止部突起５ＫＴと超音波溶着部５ＵＷとを有し、末端ＤＥ側に離脱阻止部突起５ＫＴを形成し、当該離脱阻止部突起５ＫＴの基端ＰＥ側に超音波溶着部５ＵＷを形成している。
【００２４】
離脱阻止部突起５ＫＴは、側部Ｓ（第１側部Ｓ１〜第４側部Ｓ４）］に断続的に複
数箇所形成する。
図５に例示するように、第１側部Ｓ１、第２側部Ｓ２、第３側部Ｓ３、第４側部Ｓ
４の各方向に４箇所形成している。
離脱阻止部溝５ＫＭは、図６に例示するように、第１側部Ｓ１、第２側部Ｓ２、第
３側部Ｓ３、第４側部Ｓ４の各方向に４箇所形成している。
離脱阻止部突起５ＫＴと離脱阻止部溝５ＫＭは、図５〜図６、図７〜図９に例示す
るように、側部方向（第１側部Ｓ１〜第４側部Ｓ４）に見て、同じ位置に形成してい
る。
離脱阻止部突起５ＫＴと離脱阻止部溝５ＫＭは、図５〜図６、図７〜図９に例示し
た以外に、側部Ｓ（第１側部Ｓ１〜第４側部Ｓ４）］に断続的に二箇所以上、好まし
くは、三箇所以上（五〜八箇所）形成することができる。
【００２５】
超音波溶着部５ＵＷは、大径部５．２２の内周［側部方向（第１側部Ｓ１〜第４側部Ｓ４）］に連続して形成している。
超音波溶着部５ＵＷは、角張ったいわゆる「エッジ状」に形成している。
当該「エッジ状」部分（以下、エッジ部Ｅ）が、ハウジング２の超音波溶着部２ＵＷのテーパー部分ＴＰに超音波溶着される。
【００２６】
（離脱阻止部溝５ＫＭＰ）
前記したようにハウジング２に、不連続に断続して、部分的に離脱阻止部突起２ＫＴＰを採用する場合は、血液ポート（５、５．１、５．２）の対抗する位置に溝（離脱阻止部溝５ＫＭＰ）を形成する。
離脱阻止部溝５ＫＭＰは、図１３に示すように、側部Ｓ（第１側部Ｓ１〜第４側部Ｓ４）］に断続的に複数箇所形成する。
図１３に例示するように、第１側部Ｓ１、第２側部Ｓ２、第３側部Ｓ３、第４側部
Ｓ４の各方向に４箇所形成することができる。
離脱阻止部溝５ＫＭＰは、離脱阻止部突起２ＫＴＰと同様に、図１３に例示するように、第１側部Ｓ１、第２側部Ｓ２、第３側部Ｓ３、第４側部Ｓ４の各方向に４箇所形成してもよいし、例示した以外に、側部Ｓ（第１側部Ｓ１〜第４側部Ｓ４）］に断続的に二箇所以上、好ましくは、三箇所以上（五〜八箇所）形成することができる。
（離脱阻止部突起５ＫＴＰ）
また血液ポート（５、５．１、５．２）は、図１２に例示するように、離脱阻止部突起５ＫＴＰは、大径部５．２２の外周［側部方向（第１側部Ｓ１〜第４側部Ｓ４）］に連続して形成している。
【００２７】
（ハウジング２と血液ポート出口５．２との超音波溶着）
本発明の血液処理装置１のハウジング２と血液ポート出口５．２との超音波溶着方法と、超音波溶着が外れた場合の一例について説明する。
（１）図７に例示するように、ハウジング２に血液ポート出口５．２を嵌合する。
ハウジング２の離脱阻止部突起２ＫＴは、血液ポート出口５．２の離脱阻止部溝５ＫＭ内に侵入する。さらにいえば、図１０に例示するように、離脱阻止部溝５ＫＭの略中央部（離脱阻止部突起２ＫＴの離脱阻止部溝５ＫＭへの侵入限界ラインＬ）
まで侵入する。
血液ポート出口５．２の超音波溶着部５ＵＷ（エッジ部Ｅ）は、ハウジング２の超音波溶着部２ＵＷ（テーパ部ＴＰ）に、当接される。
血液ポート出口５．２とハウジング２の嵌合位置から血液ポート出口５．２をハウジング２方向さらに押し込むことが可能である。これにより超音波溶着時にＯリングＯＲを圧縮して、液密状態を維持することができる。
（２）図８に例示するように、血液ポート出口５．２の超音波溶着部５ＵＷ（エッジ部Ｅ）は、ハウジング２の超音波溶着部２ＵＷ（テーパ部ＴＰ）に、当接される。
（３）図９に例示するように、血液ポート出口５．２の超音波溶着部５ＵＷ（エッジ部Ｅ）とハウジング２の超音波溶着部２ＵＷ（テーパ部ＴＰ）が外れた場合でも、血液ポート出口５．２の離脱阻止部突起５ＫＴは、末端ＤＥ側が、ハウジング２の離脱阻止部２ＫＴの基端ＰＥ側と四箇所で係止される。
このため血液ポート出口５．２は、ハウジング２から、離脱することはない。
血液ポート出口５．２は、離脱阻止部突起５ＫＴが円周全体ではなく、部分的に四箇所形成している。
【００２８】
（その他の実施例）
図１１〜図１６に記載したその他の実施例［ハウジング２に、不連続に断続して、部分的に離脱阻止部突起２ＫＴＰを採用し、血液ポート（５、５．１、５．２）の対抗する位置に溝（離脱阻止部溝５ＫＭＰ）を形成］の場合も、前記と同様に、超音波溶着することができる。また超音波溶着が外れた場合でも、血液ポート出口５．２は、ハウジング２から、離脱することはない。
離脱阻止部突起２ＫＴＰと離脱阻止部溝５ＫＭＰは、不連続に断続して形成しているので、離脱阻止部突起２ＫＴＰは、血液ポート出口５．２の離脱阻止部突起５ＫＴに、係止された後は、円周に沿って回転することがなく、安定して係止（固定）することができる。
【符号の説明】
【００２９】
１血液処理装置
２ハウジング
２．１小径部
２．２大径部
２．３移行部
２ＵＷ超音波溶着部
２ＫＴ離脱阻止部
２ＫＴＰ離脱阻止部
３固定材
４中空糸膜
５．１血液ポート入口
５．２血液ポート出口
５．２１小径部
５．２１Ｓ接続部
５．２１Ｏ開口部
５．２２大径部
５．２３移行部
５ＯＭＯリング装着溝
ＯＲＯリング
５ＵＷ超音波溶着部
５ＫＭ離脱阻止部溝
５ＫＭＰ離脱阻止部溝
５ＫＴ離脱阻止部突起
５ＫＴＰ離脱阻止部突起
７透析液ポート
７．１透析液ポート入口
７．２透析液ポート出口
１１障害部材（バッフル部材）
ＴＰテーパー部
Ｅエッジ部
【図１】
2014064829.tif 000003
【図２】
2014064829.tif 000004
【図３】
2014064829.tif 000005
【図４】
2014064829.tif 000006
【図５】
2014064829.tif 000007
【図６】
2014064829.tif 000008
【図７】
2014064829.tif 000009
【図８】
2014064829.tif 000010
【図９】
2014064829.tif 000011
【図１０】
2014064829.tif 000012
【図１１】
2014064829.tif 000013
【図１２】
2014064829.tif 000014
【図１３】
2014064829.tif 000015
【図１４】
2014064829.tif 000016
【図１５】
2014064829.tif 000017
【図１６】
2014064829.tif 000018